(57)【要約】      （修正有）【課題】長時間スマートフォンの硬い平面に耳を押しつけ続けることにより耳が痛くなるのを防止するスマートフォン用耳当てを提供する。【解決手段】受話器部分４１を露出するようにこの受話器４１の周辺に設けた柔らかいパッド２と、このパッド２から垂直方向に伸びる延長部３からなり、このパッド又は延長部３にスマートフォン４との接合手段を設けたスマートフォン用の耳当て１である。前記パッド２を漢字の「口」型として、中央開口部分２１において前記受話器４１を露出させるのが好ましい。【選択図】図１
0003176644.tif 000002
【実用新案登録請求の範囲】
【請求項１】
受話器部分（４１）を露出するようにこの受話器（４１）の周辺に設けた柔らかいパッド（２）と、このパッド（２）から垂直方向に伸びる延長部（３）からなり、このパッド（２）又は延長部（３）にスマートフォン（４）との接合手段を設けたことを特徴とするスマートフォン用の耳当て（１）。
【請求項２】
前記パッド（２）を漢字の「口」型として、中央開口部分（２１）において前記受話器（４１）を露出させた請求項１記載の耳当て。
【請求項３】
前記パッド（２）全体を中の詰まった軟質樹脂で形成した請求項１又は２記載の耳当て。
【請求項４】
前記パッド（２）を、気体を中に入れてふくらませた袋とした請求項１又は２記載の耳当て。
【請求項５】
前記パッド（２）を、液体で中を充填した袋とした請求項１又は２記載の耳当て。
【請求項６】
スマートフォン（４）との接合手段が前記延長部（３）裏面に設けた両面テープである請求項１〜５の何れかに記載の耳当て。
【請求項７】
スマートフォン（４）との接合手段が前記パッド（２）裏面に設けた両面テープである請求項１〜５の何れかに記載の耳当て。
【請求項８】
スマートフォン（４）との接合手段が、前記延長部（３）に設けた貫通孔（３１）と、この貫通孔（３１）に差し込むプラグ（３２）からなり、このプラグ（３２）はスマートフォン（４）のジャック（４２）に嵌るものである請求項１〜７の何れかに記載の耳当て。
【考案の詳細な説明】
【技術分野】
【０００１】
本考案は、スマートフォン用の耳当てに関する。
【背景技術】
【０００２】
スマートフォンは急速な勢いで普及しつつある。
【０００３】
スマートフォンを用いて長時間通話すると、硬い平面に耳を押しつけ続けることになるので、耳が痛くなることがある。本考案者の知る限り、この問題に向かい合った発明や考案は知られていない。ただし、周囲の雑音、騒音に影響されることなく相手の音声を明瞭に聞き取ることを目的として受話器部分に耳当て部材を設けた発明は、例えば特開２００２−１７６４８２号として知られている。この耳当て部材は、受話器の周辺に「コ字状」に形成され、「ハウジング１４と同じ硬質の合成樹脂を用いて型により一体形成されている」（［００１０］）。
【考案の概要】
【考案が解決しようとする課題】
【０００４】
硬質の合成樹脂を用いて型により一体形成されたような耳当ては、本考案が解決しようとする問題に不適当である。
【０００５】
本考案は、長時間スマートフォンの硬い平面に耳を押しつけ続けることにより耳が痛くなるのを防止しようとするものである。さらに、それに適したスマートフォン用の耳当てを提供することを目的とする。
【課題を解決するための手段】
【０００６】
本考案は、スマートフォン用の耳当てであって、受話器部分を露出するように受話器の周辺に設けた柔らかいパッドと、このパッドから垂直方向に伸びる延長部からなり、このパッドまたは延長部にスマートフォンとの接合手段を設けたことを特徴とする。
【０００７】
好ましくは、パッドは漢字の「口」型として、中央開口部分において受話器部分を露出させる。
【０００８】
パッドは全体を中身の詰まった軟質樹脂で形成してもよいし、気体を中に入れてふくらませた中空の袋でもよいし、又は液体を中に充填した袋としてもよい。  
【０００９】
スマートフォンとの接合手段は例えばパッド又は延長部裏面に設けた両面テープである。
【００１０】
スマートフォンとの接合手段を、前記延長部に設けた貫通孔と、この貫通孔に差し込むプラグからなり、このプラグはスマートフォンのジャックに嵌るものとしてもよい。
【考案の効果】
【００１１】
本考案によれば、長時間スマートフォンを耳に当てていても、耳当てがクッションとなり、耳が痛くなることはない。また、受話器部分は露出しているので、聞き取りの障害とはならない。さらに、耳当てが隆起しているので、スマートフォン画面が頬と接触しにくくなり、顔の化粧品や汗・脂が移りにくくなるという利点も得られる。
【図面の簡単な説明】
【００１２】
【図１】本考案の第１実施例の耳当てを取り付けたスマートフォンの斜視図である。
【図２】前記耳当て全体の斜視図である。
【図３】前記耳当ての（ａ）平面図、（ｂ）正面図、（ｃ）側面図である。
【図４】本考案の第２実施例の耳当ての正面図である。
【図５】本考案の第３実施例の耳当ての正面図である。
【図６】本考案の第４実施例の耳当ての正面図である。
【考案を実施するための形態】
【００１３】
以下、添付の図面に基づき、本考案の実施例を説明する。
【実施例１】
【００１４】
図１、図２に示すように、この耳当て１は、肉厚の柔らかいパッド２と、スマートフォン４へ取り付けるための延長片３とからなり、スマートフォン４の表面側上部の受話器４１周辺に取り付けられる。
【００１５】
パッド２は漢字の「口」型として、中央開口部分２１において受話器４１を露出させる。パッド２は全体を中の詰まった軟質樹脂で形成してもよいし、気体を入れてふくらませた中空の袋としてもよいし、中に液体を充填した袋としてもよい。軟質樹脂としては、スチレン系、オレフィン系、ポリエステル系の熱可塑性エラストマーなどを使用することができる。袋をふくらませる気体は通常の場合空気である。袋に充填させる液体としては安全で安定したものならどのようなものでもよく、例えばグリセリンを使用することができる。「柔らかさ」の目安としては、耳に押し当てたときにややへこむ程度が好ましい。JIS K 6253 デュロメータ  タイプAの硬度計で５°〜５０°、好ましくは１０°〜４０°程度である。
【００１６】
このパッド２をスマートフォン４に取り付けるためパッド２上部の裏側に垂直方向に伸びる延長片３を設ける。延長片３とスマートフォン４の間は両面テープ（図示せす）で接合することができる。延長片３はスマートフォン４との接合を確実なものとするために金属等硬い表面を有するものであることが好ましい。高級感を出すためアルミニウム、クロムメッキなどを施すことが好ましい。
【００１７】
延長片３とスマートフォン４の間に設けた両面テープだけで接着が不十分なときには、これに代え、またはこれに追加して、次のような手段を設けることができる。第一は、延長片に設けた貫通孔３１とスマートフォン４のイヤホンジャック４２にプラグ３２を差し込むことである。プラグ３２はイヤホンジャック４２に密着する本体３４と抜け止めとなる頭部３３からなる。第二は、パッド２の裏面とスマートフォン４との間を両面テープで接着することである。
【００１８】
この耳当て１は、いったん取り付けた後は、取り外すことなく、付け続けることを予定しているが、色やデザインに飽きたときには、取り替えることもできる。
【００１９】
この耳当て１を使用すれば、長時間スマートフォンを耳に当てていても、耳当てがクッションとなり、耳が痛くなることはない。また、受話器部分は露出しているので、聞き取りの障害とはならない。さらに、耳当てが隆起しているので、スマートフォン画面が頬と接触しにくくなり、顔の化粧品や汗・脂が移りにくくなるという利点も得られる。
【実施例２】
【００２０】
図４は、第２実施例である。第１実施例との相違点は、ネコの耳を模した装飾部分２２がパッド２Ａから突出していることである。
【実施例３】
【００２１】
図５は、第３実施例である。第１実施例との相違点は、シカの耳を模した装飾部分２３がパッド２Ｂから突出していることである。
【実施例４】
【００２２】
図６は、第４実施例である。第１実施例との相違点は、イヌの耳を模した装飾部分２４がパッド２Ｃから突出していることである。
【符号の説明】
【００２３】
１     耳当て
２     パッド
２１   中央開口部分
２２   装飾部分
２３   装飾部分
２４   装飾部分
２Ａ   パッド
２Ｂ   パッド
２Ｃ   パッド
３     延長片
３１  貫通孔
３２  プラグ
４     スマートフォン
４１   受話器
４２  イヤホンジャック
【先行技術文献】
【特許文献】
【００２４】
【特許文献１】特開２００２−１７６４８２公報
【図１】
0003176644.tif 000003
【図２】
0003176644.tif 000004
【図３】
0003176644.tif 000005
【図４】
0003176644.tif 000006
【図５】
0003176644.tif 000007
【図６】
0003176644.tif 000008